(57)【特許請求の範囲】
【請求項１】
一方向に直交する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成される米飯加工食品用包装材の製造方法であって、
前記内シートを形成するための内シート原反は、シート状の第一原反と他方向に間隔を空けて第一原反に重ねられる複数のシート状の第二原反とから構成され、第一原反と各第二原反とは、他方向に離間した位置で一方向に延びる一対の接合部から構成される接合部対によって接合されており、
少なくとも２つの接合部対のそれぞれを構成する一対の接合部間に形成される第一切断領域で内シート原反を一方向に延びる切断線に沿って切断する第一切断工程と、該第一切断工程で切断される各第一切断領域間に形成される第二切断領域で内シート原反を一方向に延びる切断線に沿って切断する第二切断工程とを行うことで、第一原反が切断されてなる第一シート片と第二原反が切断されてなる第二シート片とから構成されるシート片を少なくとも二対形成する切断工程と、
該第一切断工程における第一原反の切断によって各対の一方のシート片に形成される第一端部を各対の他方のシート片における第一シート片と第二シート片との間に配置する第一配置工程と、
第一切断工程における第二原反の切断によって各対の他方のシート片に形成される第二端部を各対の一方のシート片における第一シート片と第二シート片との間に配置する第二配置工程と
を備えることを特徴とする米飯加工食品用包装材の製造方法。
【請求項２】
一方向に直交する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成される米飯加工食品用包装材の製造方法であって、
前記内シートを形成するための内シート原反は、シート状の第一原反と該第一原反に重ねられるシート状の第二原反とから構成され、第一原反と第二原反とは、他方向に離間した位置で一方向に延びる一対の接合部から構成される接合部対によって接合され、該接合部対は、他方向に離間した位置に複数形成されており、
少なくとも２つの接合部対のそれぞれを構成する一対の接合部間に形成される第一切断領域で内シート原反を一方向に延びる切断線に沿って切断する第一切断工程と、該第一切断工程で切断される各第一切断領域間に形成される第二切断領域で内シート原反を一方向に延びる切断線に沿って切断する第二切断工程とを行うことで、第一原反が切断されてなる第一シート片と第二原反が切断されてなる第二シート片とから構成されるシート片を少なくとも二対形成する切断工程と、
第一切断工程における第一原反の切断によって各対の一方のシート片に形成される第一端部を各対の他方のシート片における第一シート片と第二シート片との間に配置する第一配置工程と、
第一切断工程における第二原反の切断によって各対の他方のシート片に形成される第二端部を各対の一方のシート片における第一シート片と第二シート片との間に配置する第二配置工程と
を備えることを特徴とする米飯加工食品用包装材の製造方法。
【請求項３】
前記各接合部対は、他方向における内シート原反の中央部を一方向に延びる軸線に対して対称位置に形成されることを特徴とする請求項１又は２に記載の米飯加工食品用包装材の製造方法。
【請求項４】
前記内シート原反を厚み方向から挟み込むことで各対の接合部の間の領域から脱気する脱気工程を更に備えることを特徴とする請求項１乃至３の何れか一項に記載の米飯加工食品用包装材の製造方法。
【発明の詳細な説明】
【技術分野】
【０００１】
本発明は、例えばシート状の海苔などのシート状食品と、三角おにぎりなどの米飯加工食品とを分離した状態で包装可能に構成されると共に、食する際には、分離した状態で包装されている両者を合体して食せるよう構成される米飯加工食品用包装材の製造方法に関する。
【背景技術】
【０００２】
コンビニエンスストア等で販売されているおにぎりは、外シートと内シートとの間にシート状の海苔を収納した包装材によって包装されている。具体的には、斯かる包装材として、一方向に分割可能に構成される外シートと、外シートと同方向に分割可能に構成される内シートとを備え、シート状の海苔を介して外シートと内シートとが重ね合わされた状態で海苔を囲むように外シートと内シートとがシールされて形成されたものが知られている（特許文献１，２参照）。
【０００３】
前記外シートは、おにぎりを包み込むことができる大きさの略長方形状に形成された外シート本体と、該外シート本体の中央部に長手方向に延びるように配置されたカットテープとを備えている。また、外シートは、外シート本体の長手方向の一端部に長手方向に延びる一対の切り込み（以下、切込部とも記す）を備え、該一対の切込部の各一端部が外シートの端縁と接するように形成されている。これにより、一対の切込部の間の領域が他の領域から分離されるため、一対の切込部の間に指などで摘むことが可能な摘み部が形成される。一方、カットテープは、一対の切込部の間に一端部が位置するように構成される。つまり、カットテープの一端部は、摘み部の内側に位置する。
【０００４】
前記内シートは、外シートと略同一形状となるように形成されている。また、内シートは、幅方向に分離可能な一対のシート片から構成されている。該一対のシート片は、一対の第一シート片から構成され、幅方向における中央側に位置する一対の第一シート片の端部（以下、内側端部とも記す）同士が外シートのカットテープと重なる位置で一方向に沿って重なるように構成されている。そして、一対のシート片（即ち、一対の第一シート片）が内シートの幅方向で分離することで内シートが分割される。
【０００５】
そして、斯かる包装材を用いておにぎりを包装する際には、おにぎりと海苔との間に内シートが介在するようにおにぎりを包装する。これにより、おにぎりと海苔とが直に接することがないため、おにぎりからの湿気によって海苔が湿気ってしまうのが抑制される。
【０００６】
また、斯かる包装材を用いて包装されたおにぎりを食する際には、摘み部を摘んで外シートの長手方向に沿って引っ張ることで、一対の切込部の各他端部を起点に、外シートがカットテープに沿って切断される。これにより、一対の切込部の各他端部を起点として長手方向に延びる一対の切断線間の領域が外シートから分離され、外シートが幅方向に分割される。そして、２つに分割された外シートを幅方向に離間させるように内シートと共に引っ張ることで、内シートを構成する一対のシート片（即ち、一対の第一シート片）が分離して内シートが分割されると共に海苔とおにぎりとの間から引き抜かれる。これにより、海苔とおにぎりとが一体となった状態でおにぎりを食することが可能となる。
【０００７】
ここで、上記のような包装材を用いておにぎりを包装した際には、内シートにおける一対のシート片（即ち、一対の第一シート片）の内側端部同士が重なり合う領域がおにぎりと接することになる。このため、斯かる領域を形成する一対のシート片（即ち、一対の第一シート片）の内側端部同士の間から外シートと内シートとの間の空間（以下、海苔の収容空間とも記す）におにぎりの湿気が侵入し、海苔を湿気らせる虞がある。
【０００８】
このような海苔の湿気を抑制する方法としては、重なり合う内側端部のうちおにぎり側に配置される内側端部をおにぎり側から覆うように帯状のシート片（以下、第二シート片とも記す）を配置する方法が提案されている（特許文献３参照）。これにより、おにぎり側から海苔の収容空間へ向かう湿気の流路が長くなるため、海苔を収容した空間への湿気の侵入をより効果的に抑制することが可能となる。
【先行技術文献】
【特許文献】
【０００９】
【特許文献１】特開２０１０−２１５２９２号公報
【特許文献２】特開２００７−２５２３１６号公報
【特許文献３】特開２００４−３４５６９５号公報
【発明の概要】
【発明が解決しようとする課題】
【００１０】
上記の特許文献３の包装材を製造する際に、一対の第一シート片を形成する長尺状の一対の第一シート原反と第二シート片を形成する長尺状の第二シート原反とを長手方向に沿って別々に搬送しつつ、一対の第一シート原反における一方の側端部（即ち、内側端部）同士を重ね合わせる。そして、重なり合う内側端部のうち一方の第一シート原反の内側端部を長手方向に沿って覆うように第二シート原反を一対のシート片に重ね合わせると共に、該第二シート原反を他方の第一シート原反に長手方向に沿って接合する。これにより、内シート原反が形成される。そして、外シートを形成する長尺状の外シート原反と内シート原反との間に海苔を介在させつつ、外シート原反と内シート原反とを海苔の周囲の領域でシールし、長手方向における海苔を挟んだ２カ所で外シート原反及び内シート原反を切断することで包装材が形成される。
【００１１】
しかしながら、上記のような方法では、一対の第一シート原反と第二シート原反とを別々に搬送する必要があると共に、一対の第一シート原反の内側端部同士を重ね合わせる工程と、第二シート原反を一対のシート片に重ね合わせて接合する工程とを別々に行う必要があるため、内シートの形成を効率的に行うことができない。
【００１２】
そこで、本発明は、一対のシート片から構成される内シートを有する米飯加工食品用包装材を製造するに際し、内シートの形成を効率的に行うことができる米飯加工食品用包装材の製造方法を提供することを課題とする。
【課題を解決するための手段】
【００１３】
本発明に係る米飯加工食品用包装材の製造方法は、一方向に直交する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成される米飯加工食品用包装材の製造方法であって、前記内シートを形成するための内シート原反は、シート状の第一原反と他方向に間隔を空けて第一原反に重ねられる複数のシート状の第二原反とから構成され、第一原反と各第二原反とは、他方向に離間した位置で一方向に延びる一対の接合部から構成される接合部対によって接合されており、少なくとも２つの接合部対のそれぞれを構成する一対の接合部間に形成される第一切断領域で内シート原反を一方向に延びる切断線に沿って切断する第一切断工程と、該第一切断工程で切断される各第一切断領域間に形成される第二切断領域で内シート原反を一方向に延びる切断線に沿って切断する第二切断工程とを行うことで、第一原反が切断されてなる第一シート片と第二原反が切断されてなる第二シート片とから構成されるシート片を少なくとも二対形成する切断工程と、該第一切断工程における第一原反の切断によって各対の一方のシート片に形成される第一端部を各対の他方のシート片における第一シート片と第二シート片との間に配置する第一配置工程と、第一切断工程における第二原反の切断によって各対の他方のシート片に形成される第二端部を各対の一方のシート片における第一シート片と第二シート片との間に配置する第二配置工程とを備えることを特徴とする。
【００１４】
斯かる構成によれば、切断工程を行うことで、内シート原反は、各第一切断領域及び第二切断領域で一方向に延びる切断線に沿って切断される。これにより、第一シート片と第二シート片とから構成されるシート片が少なくとも二対形成される。そして、第一配置工程と第二配置工程とを行うことで、第一切断工程における第一原反の切断によって各対の一方のシート片に形成された第一端部が各対の他方のシート片における第一シート片と第二シート片との間に配置され、第一切断工程における第二原反の切断によって各対の他方のシート片に形成された第二端部が各対の一方のシート片における第一シート片と第二シート片との間に配置される。
【００１５】
これにより、シート片の各対には、一方のシート片（具体的には、一方の第一シート片）における第一端部と接合部との間の領域と、他方のシート片（具体的には、他方の第一シート片）における第一端部と接合部との間の領域とが重なり合って第一重合部が形成される。また、シート片の各対には、一方のシート片（具体的には、一方の第二シート片）における第二端部と接合部との間の領域と、他方のシート片（具体的には、他方の第二シート片）における第二端部と接合部との間の領域とが重なり合って第二重合部が形成される。そして、第一重合部が第二重合部によって覆われた状態となる。このように、シート片の各対において第一配置工程及び第二配置工程を行うことで、第一重合部と第二重合部とから構成される重合部を有する内シートを複数形成することができる。
【００１６】
このように、第一原反と第二原反とが接合された内シート原反を用いることで、第一原反と第二原反とを別々に搬送しつつ、内シートを形成する場合よりも、米飯加工食品用包装材の製造を効率的に行うことができる。また、一つの内シート原反から複数の内シートを形成することができるため、内シートの形成を効率的に行うことができる。
【００１７】
また、一方向に延びる一対の接合部によって他方向に離間した位置で第一原反と各第二原反とが接合されるため、内シート原反を一方向に向かって巻き回してロール状にした際に、各第二原反にシワや折れ曲がりが生じるのを防止することができる。
【００１８】
例えば、一方向に延びる一つの接合部のみによって第一原反と各第二原反とが接合されて内シート原反が形成されている場合、該内シート原反を一方向に向かって巻き回してロール状にする際に、各第二原反における第一原反と接合されていない領域が第一原反から浮き上がってしまうため、各第二原反にシワや折れ曲がりが生じる虞がある。これに対し、本願発明のように、一方向に延びる一対の接合部によって他方向に離間した位置で第一原反と各第二原反とが接合されることで、一対の接合部間の領域では、各第二原反が第一原反から浮き上がるのが防止されるため、内シート原反を一方向に向かって巻き回してロール状にする際に、第二原反にシワや折れ曲がりが生じるのを防止することができる。
【００１９】
また、本発明に係る米飯加工食品用包装材の製造方法は、一方向に直交する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成される米飯加工食品用包装材の製造方法であって、前記内シートを形成するための内シート原反は、シート状の第一原反と該第一原反に重ねられるシート状の第二原反とから構成され、第一原反と第二原反とは、他方向に離間した位置で一方向に延びる一対の接合部から構成される接合部対によって接合され、該接合部対は、他方向に離間した位置に複数形成されており、少なくとも２つの接合部対のそれぞれを構成する一対の接合部間に形成される第一切断領域で内シート原反を一方向に延びる切断線に沿って切断する第一切断工程と、該第一切断工程で切断される各第一切断領域間に形成される第二切断領域で内シート原反を一方向に延びる切断線に沿って切断する第二切断工程とを行うことで、第一原反が切断されてなる第一シート片と第二原反が切断されてなる第二シート片とから構成される前記シート片を少なくとも二対形成する切断工程と、第一切断工程における第一原反の切断によって各対の一方のシート片に形成される第一端部を各対の他方のシート片における第一シート片と第二シート片との間に配置する第一配置工程と、第一切断工程における第二原反の切断によって各対の他方のシート片に形成される第二端部を各対の一方のシート片における第一シート片と第二シート片との間に配置する第二配置工程とを備えることを特徴とする。
【００２０】
前記各接合部対は、他方向における内シート原反の中央部を一方向に延びる軸線に対して対称位置に形成されることが好ましい。
【００２１】
斯かる構成によれば、他方向における内シート原反の中央部を一方向に延びる軸線に対して対称位置に接合部対が形成されることで、各接合部対が他方向における内シート原反の一端側に偏った位置に形成されないため、内シート原反を一方向に向かって巻き回してロール状にする際に安定して巻き回すことができる。
【００２２】
前記内シート原反を厚み方向から挟み込むことで各接合部対を構成する一対の接合部の間の領域から脱気する脱気工程を更に備えることが好ましい。
【００２３】
斯かる構成によれば、脱気工程を行うことで、内シート原反を一方向に向かって巻き回してロール状にする際に安定して巻き回すことができる。具体的には、各接合部対を構成する一対の接合部の間の領域（第一切断領域）における第一原反と第二原反との間に存在する空気は、隣り合う接合部によって斯かる領域の外側へ排出され難くなっている。このため、脱気工程を行わないで内シート原反を一方向に向かって巻き回してロール状にすると、隣り合う接合部間の領域（第一切断領域）に存在する空気によって、斯かる領域の厚み（巻き回した際の直径）が厚くなり、安定して巻き回すことができない。これに対し、本願発明のように、脱気工程を行うことで、一対の接合部間の領域（第一切断領域）から空気を排出させることができるため、内シート原反を一方向に向かって巻き回してロール状にする際に、安定して巻き回すことができる。
【発明の効果】
【００２４】
以上のように、本発明によれば、一対のシート片から構成される内シートを有する米飯加工食品用包装材を製造するに際し、内シートの形成を効率的に行うことができる。
【図面の簡単な説明】
【００２５】
【図１】本実施形態に係る米飯加工食品用包装材の製造方法で製造可能な米飯加工食品用包装材の各構成を示した斜視図。
【図２】同実施形態における内シートを形成する内シート原反を示した斜視図。
【図３】図２の内シート原反を切断した状態を示した斜視図。
【図４】切断された内シート原反の端部同士を重ね合わせた状態を示した斜視図。
【図５】他の実施形態における内シートを形成する内シート原反を示した斜視図。
【発明を実施するための形態】
【００２６】
以下に、本発明に係る米飯加工食品用包装材の製造方法の実施形態について、図１〜４に基づいて説明する。以下では、「米飯加工食品用包装材」を単に「包装材」と称することがある。また、以下の説明における一方向（第一方向）は、各図における座標軸のｘ軸に沿った方向であり、他方向（第二方向）は、各図における座標軸のｙ軸に沿った方向である。
【００２７】
本実施形態に係る米飯加工食品用包装材の製造方法は、図１に示すような包装材１を製造する際に用いられる。包装材１は、米飯加工食品Ａと接する内シート２と、該内シート２に重ね合わされる外シート３とを備える。そして、内シート２および外シート３は、米飯加工食品Ａに巻くシート状食品Ｂを介して重ね合された状態で、シート状食品Ｂを囲むように端部同士がシールされる。これにより、包装材１は、米飯加工食品Ａとシート状食品Ｂとを分離した状態で、米飯加工食品Ａを包装することが可能となる。なお、米飯加工食品Ａには、三角形状や樽形状などに握られた各種おにぎりの他、鮨なども含まれる。また、シート状食品Ｂには、シート状の海苔の他、畳鰯なども含まれる。
【００２８】
外シート３は、米飯加工食品Ａを包み込むことが可能な大きさの外シート本体３ａと、該外シート本体３ａに重ね合わされる一対のカットテープ３ｂ，３ｂとから構成される。外シート本体３ａは、一方向（以下、第一方向とも記す）が長手となるように形成され、該第一方向に直交する他方向（以下、第二方向とも記す）が幅方向となっている。一方、カットテープ３ｂは、第二方向における外シート本体３ａの中央部に第一方向に延びるように配置される。
【００２９】
また、外シート３は、第一方向における外シート本体３ａの一端部に第一方向に延びる一対の切り込み（以下、切込部とも記す）３ｃ，３ｃを備える。一対の切込部３ｃ，３ｃは、第二方向に間隔を空けて形成され、一対のカットテープ３ｂ，３ｂの各一端部が一対の切込部３ｃ，３ｃの間に位置するように構成される。また、一対の切込部３ｃ，３ｃは、それぞれの一端部が外シート本体３ａの端縁と接するように形成される。これにより、外シート３における一対の切込部３ｃ，３ｃの間の領域が他の領域から分離され、一対の切込部３ｃ，３ｃの間の領域に指などで摘むことが可能な摘み部３ｄが形成される。
【００３０】
斯かる外シートは、第二方向に分割可能となる。具体的には、摘み部３ｄを摘んで第一方向に沿って引っ張ることで、一対の切込部３ｃ、３ｃの各他端部を起点に外シート３が第一方向に沿って切断される。そして、外シート３が切断されることで、一対の切込部３ｃ，３ｃの各他端部を起点とする一対の切断線間の帯状の領域が他の領域から分離されるため、外シート３が第二方向に分割される。
【００３１】
内シート２は、外シート３と略同一形状（具体的には、第一方向が長手となる長方形状）に形成される。また、内シート２は、外シート３と同方向、即ち、第二方向に分割可能に構成される。具体的には、内シート２は、第二方向に分離可能に構成された一対のシート片２ａ，２ｂから構成され、該一対のシート片２ａ，２ｂが第二方向に分離することで分割される。
【００３２】
一方のシート片２ａは、第一方向が長手となる長方形状に形成される。また、一方のシート片２ａは、第二方向における一端部（以下、内側端部とも記す）が第二方向における内シート２の中央側に位置し、第二方向における他端部（以下、外側端部とも記す）が第二方向における内シート２の一端部を構成する。
【００３３】
他方のシート片２ｂは、第一方向が長手となる長方形状に形成される。また、他方のシート片２ｂは、第二方向における一端部（以下、内側端部とも記す）が第二方向における内シート２の中央側に位置し、第二方向における他端部（以下、外側端部とも記す）が第二方向における内シート２の他端部を構成する。
【００３４】
また、内シート２は、一対のシート片２ａ，２ｂの一部（具体的には、内側端部の近傍の領域）同士が重なり合って形成された重合部２ｃを備える。該重合部２ｃは、第二方向における内シート２の中央部において第一方向に延びる（具体的には、沿う）ように形成される。
【００３５】
本実施形態に係る包装材の製造方法において、上記のような内シート２を形成する際には、図２に示すような内シート原反４が用いられる。該内シート原反４は、第一方向が長手となるように長尺状に形成される。具体的には、内シート原反４は、第一方向に向かって巻き回されることでロール状に形成された状態（図示せず）から、長手方向に繰り出されることで使用される。
【００３６】
内シート原反４は、シート状の第一原反４ａと該第一原反４ａに重ねられる複数の（具体的には、二つの）シート状の第二原反４ｂ，４ｂとから構成される。本実施形態では、第一原反４ａ及び各第二原反４ｂは、第一方向が長手となるように長尺状に形成される。また、第一原反４ａの幅は、各第二原反４ｂの幅よりも広くなるように形成される。そして、各第二原反４ｂ，４ｂは、第二方向に間隔を空けて第一方向に延びるように（具体的には、沿って）配置される。また、各第二原反４ｂ，４ｂは、第二方向における内シート原反４の中央部を第一方向に延びる軸線（仮想線）Ｌに対して対称位置に（換言すれば、第二方向における軸線Ｌからの距離が等しくなるように）配置される。
【００３７】
第一原反４ａと各第二原反４ｂとは、第一方向に延びる一対の接合部４ｃ，４ｃによって第二方向に離間した位置で接合される。換言すれば、第一原反４ａと各第二原反４ｂとは、一対の接合部４ｃ，４ｃから構成される接合部対４ｄによって接合される。つまり、内シート原反４は、第一原反４ａと各第二原反４ｂとを連結する接合部対４ｄを複数（本実施形態では、二つ）備える。一対の接合部４ｃ，４ｃは、第二方向における各第二原反４ｂ，４ｂの両端部が第一原反４ａと接合されて形成される。
【００３８】
本実施形態では、接合部４ｃは、第一方向に沿って連続的に形成される。接合部４ｃを形成する方法としては、特に限定されるものではなく、例えば、第一原反４ａと各第二原反４ｂとをヒートシールして接合することで接合部４ｃを形成してもよく、第一原反４ａと各第二原反４ｂとを接着剤や粘着テープ等を用いて接合することで接合部４ｃを形成してもよい。
【００３９】
また、各接合部対４ｄ，４ｄは、第二方向における内シート原反４の中央部を一方向に延びる軸線（仮想線）Ｌに対して対称位置に（換言すれば、第二方向における軸線Ｌからの距離が等しくなるように）形成される。
【００４０】
上記のような内シート原反４は、２つの接合部対４ｄ，４ｄのそれぞれを構成する一対の接合部４ｃ，４ｃ間に形成される領域（以下では、第一切断領域とも記す）４ｅ，４ｅで、第一方向に延びる切断線（仮想線）に沿って（第一原反４ａ及び第二原反４ｂが）切断される（第一切断工程）。本実施形態では、内シート原反４（具体的には、第一切断領域４ｅ）は、軸線Ｌに沿って（より詳しくは、第二方向における第一切断領域４ｅの中央部で）直線状に切断される。
【００４１】
また、内シート原反４は、第一切断工程で切断される各第一切断領域４ｅ，４ｅ間に形成される領域（以下では、第二切断領域とも記す）４ｆで、第一方向に延びる切断線（仮想線）に沿って（第一原反４ａが）切断される（第二切断工程）。本実施形態では、内シート原反４（具体的には、第二切断領域４ｆ）は、軸線Ｌに沿って（より詳しくは、第二方向における第一切断領域４ｅ，４ｅの中央部で）直線状に切断される。
【００４２】
これにより、図３に示すように、第一原反４ａが切断されてなる一対の第一シート片４１ａ，４２ａと、第二原反４ｂが切断されてなる一対の第二シート片４１ｂ，４２ｂとが形成される。そして、一方の第一シート片４１ａと一方の第二シート片４１ｂとによって一方のシート片２ａが構成され、他方の第一シート片４２ａと他方の第二シート片４２ｂとによって他方のシート片２ｂが形成される。つまり、一方のシート片２ａと他方のシート片２ｂとから構成されるシート片の対が複数（本実施形態では、二対）形成される（切断工程）。
【００４３】
一方のシート片２ａは、第一原反４ａの切断によって形成された第一端部２１ａと、第二原反４ｂの切断によって形成された第二端部２２ａとを備える。つまり、第一端部２１ａは、第二方向における一方の第一シート片４１ａの一端部を構成し、第二端部２２ａは、第二方向における一方の第二シート片４１ｂの一端部を構成する。また、一方のシート片２ａは、第二方向において、一方の第二シート片４１ｂの他端部が一方の第一シート片４１ａの一端部より内側に位置しており、一方の第二シート片４１ｂの他端側と一方の第一シート片４１ａとが一方の接合部４ｃによって接合されている。また、一方のシート片２ａは、一方の接合部４ｃよりも第一端部２１ａ側及び第二端部２２ａ側の領域（以下、接離領域とも記す）で、第二方向における一方の第一シート片４１ａの一端部と第二方向における一方の第二シート片４１ｂの一端部とが接離自在となるように構成される。
【００４４】
他方のシート片２ｂは、第一原反４ａの切断によって形成された第一端部２１ｂと、第二原反４ｂの切断によって形成された第二端部２２ｂとを備える。つまり、第一端部２１ｂは、第二方向における他方の第一シート片４２ａの一端部を構成し、第二端部２２ｂは、第二方向における他方の第二シート片４２ｂの一端部を構成する。また、他方のシート片２ｂは、第二方向において、他方の第二シート片４２ｂの他端部が他方の第一シート片４２ａの一端部より内側に位置しており、他方の第二シート片４２ｂの他端部と他方の第一シート片４２ａとが他方の接合部４ｃによって接合されている。また、他方のシート片２ｂは、他方の接合部４ｃよりも第一端部２１ｂ側及び第二端部２２ｂ側の領域（以下、接離領域とも記す）で、第二方向における他方の第一シート片４２ａの一端部と第二方向における他方の第二シート片４２ｂの一端部とが接離自在となるように構成される。
【００４５】
そして、図４に示すように、シート片２ａ，２ｂの各対における一方のシート片２ａの第一端部２１ａを他方のシート片２ｂにおける第一シート片４２ａと第二シート片４２ｂとの間に配置する（第一配置工程）と共に、各対のシート片２ａ，２ｂにおける他方のシート片２ｂの第二端部２２ｂを一方のシート片２ａにおける第一シート片４１ａと第二シート片４１ｂとの間に配置する（第二配置工程）。具体的には、第一配置工程では、他方のシート片２ｂの接離領域における第一シート片４２ａと第二シート片４２ｂとの間に一方のシート片２ａの第一端部２１ａが配置される。また、第二配置工程では、一方のシート片２ａの接離領域における第一シート片４１ａと第二シート片４１ｂとの間に一方のシート片２ａの第一端部２１ａが配置される。なお、第一配置工程と第二配置工程との順番としては、特に限定されるものではなく、例えば、第一配置工程後に第二配置工程が行われてもよく、第二配置工程後に第一配置工程が行われてもよく、第一配置工程と第二配置工程とが同時に行われてもよい。
【００４６】
これにより、一方のシート片２ａ（具体的には、一方の第一シート片４１ａ）における第一端部２１ａと接合部４ｃとの間の領域と他方のシート片２ｂ（具体的には、他方の第一シート片４２ａ）における第一端部２１ｂと接合部４ｃとの間の領域とが重なり合って第一重合部２１ｃが形成されると共に、一方のシート片２ａ（具体的には、一方の第一シート片４１ａ）における第二端部２２ａと接合部４ｃとの間の領域と他方のシート片２ｂ（具体的には、他方の第一シート片４２ａ）における第二端部２２ｂと接合部４ｃとの間の領域とが重なり合って第二重合部２２ｃが形成される。そして、第一重合部２１ｃが第二重合部２２ｃによって覆われた状態となる。これにより、第一重合部２１ｃと第二重合部２２ｃとから構成される重合部２ｃが形成される。該重合部２ｃでは、一方のシート片２ａの第一シート片４１ａと第二シート片４１ｂと他方のシート片２ｂの第一シート片４２ａと第二シート片４２ｂとが交互に重なり合った状態となる。
【００４７】
そして、第一配置工程及び第二配置工程後の各対のシート片２ａ，２ｂと外シート３を形成する長尺状の外シート原反（図示せず）との間にシート状食品を介在させつつ、一対のシート片２ａ，２ｂと外シート原反とをシート状食品の周囲でシールすると共に、第一方向におけるシート状食品を挟んだ二カ所で第二方向に沿って一対のシート片２ａ，２ｂ及び外シート原反を切断することで、図１に示すような内シート２を備える米飯加工食品用包装材１が形成される。
【００４８】
以上のように、本発明に係る米飯加工食品用包装材の製造方法は、一対のシート片から構成される内シートを有する米飯加工食品用包装材を製造するに際し、内シートの形成を効率的に行うことができる。
【００４９】
即ち、切断工程を行うことで、内シート原反４は、各第一切断領域４ｅ及び第二切断領域４ｆで第一方向に延びる切断線上で切断される。これにより、第一シート片４１ａと第二シート片４１ｂとから構成されるシート片２ａと、第一シート片４２ａと第二シート片４２ｂとから構成されるシート片２ｂが形成される（つまり、シート片２ａ，２ｂの対が少なくとも二対形成される）。そして、第一配置工程と第二配置工程とを行うことで、第一切断工程における第一原反４ａの切断によって一方のシート片２ａに形成された第一端部２１ａが他方のシート片２ｂにおける第一シート片４２ａと第二シート片４２ｂとの間に配置され、第一切断工程における第二原反４ｂの切断によって他方のシート片２ｂに形成された第二端部２２ｂが一方のシート片２ａにおける第一シート片４１ａと第二シート片４１ｂとの間に配置される。
【００５０】
これにより、シート片２ａ，２ｂの各対には、一方のシート片２ａ（具体的には、一方の第一シート片４１ａ）における第一端部２１ａと接合部４ａとの間の領域と、他方のシート片２ｂ（具体的には、他方の第一シート片４２ａ）における第一端部２１ｂと接合部４ｃとの間の領域とが重なり合って第一重合部２１ｃが形成されると共に、一方のシート片２ａ（具体的には、一方の第二シート片４１ｂ）における第二端部２２ａと接合部４ｃとの間の領域と、他方のシート片２ｂ（具体的には、他方の第にシート片４２ｂ）における第二端部２２ｂと接合部４ｃとの間の領域とが重なり合って第二重合部２２ｃが形成される。そして、第一重合部２１ｃが第二重合部２２ｃによって覆われた状態となる。
このように、各対のシート片２ａ，２ｂにおいて第一配置工程及び第二配置工程を行うことで、第一重合部２１ｃと第二重合部２２ｃとから構成される重合部２ｃを有する内シート２を複数形成することができる。
【００５１】
このように、第一原反４ａと第二原反４ｂとが接合された内シート原反４を用いることで、第一原反４ａと第二原反４ｂとを別々に搬送しつつ、内シート２を形成する場合よりも、米飯加工食品用包装材１の製造を効率的に行うことができる。また、一つの内シート原反４から複数の内シート２を形成することができるため、内シート２の形成を効率的に行うことができる。
【００５２】
また、第一方向に延びる一対の接合部４ｃ，４ｃによって第二方向に離間した位置で第一原反４ａと第二原反４ｂとが接合されるため、内シート原反４を第一方向に向かって巻き回してロール状にした際に、各第二原反４ｂにシワや折れ曲がりが生じるのを防止することができる。
【００５３】
例えば、第一方向に延びる一つの接合部４ｃのみによって第一原反４ａと第二原反４ｂとが接合されて内シート原反が形成されている場合、該内シート原反４を第一方向に向かって巻き回してロール状にする際に、第二原反４ｂにおける第一原反４ａと接合されていない領域が第一原反４ａから浮き上がってしまうため、第二原反４ｂにシワや折れ曲がりが生じる虞がある。これに対し、本願発明のように、第一方向に延びる一対の接合部間４ｃ，４ｃによって第二方向に離間した位置で第一原反４ａと各第二原反４ｂとが接合されることで、一対の接合部間４ｃ，４ｃ間の領域では、各第二原反４ｂが第一原反４ａから浮き上がるのが防止されるため、内シート原反４を第一方向に向かって巻き回してロール状にする際に、各第二原反４ｂにシワや折れ曲がりが生じるのを防止することができる。
【００５４】
また、第二方向における内シート原反４の中央部を第一方向に延びる軸線Ｌに対して対称位置に接合部対４ｄ，４ｄが形成されることで、各接合部対４ｄ，４ｄが第二方向における内シート原反４の一端側に偏った位置に形成されないため、内シート原反４を第一方向に向かって巻き回してロール状にする際に安定して巻き回すことができる。
【００５５】
なお、本発明に係る米飯加工食品用包装材の製造方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５６】
例えば、上記実施形態では、一枚の第一原反４ａに二枚の第二原反４ｂが重ねられて内シート原反４が形成されているが、これに限定されるものではなく、例えば、図５に示すように、一枚の第一原反４ａに一枚の第二原反４ｂが重ねられて内シート原反４’が形成されてもよい。斯かる場合には、一枚の第一原反４ａに一枚の第二原反４ｂとは、他方向に離間した位置に形成される複数（具体的には、二つ）の接合部対４ｄ，４ｄによって接合される。また、第二切断領域では、第一原反４ａと第二原反４ｂとが重なった状態となっている。
【００５７】
また、上記実施形態では、内シート原反４は、長尺状に形成されているが、これに限定されるものではなく、例えば、枚葉体（具体的には、第一方向が長手となる矩形状）に形成された内シート原反であってもよい。
【００５８】
また、上記実施形態では、第一切断工程及び第二切断工程において内シート原反４が軸線Ｌに沿って直線状に切断されるように（即ち、切断線が直線状に）構成されているが、これに限定されるものではなく、第一方向の延びる切断線であれば、例えば、切断線が波形等の直線状以外の形状であってもよく、軸線Ｌに対して交差する方向に延びる切断線であってもよい。
【００５９】
また、上記実施形態では、二枚の第二原反４ｂ，４ｂが軸線Ｌを中心に対称位置に（即ち、二枚の第二原反４ｂ，４ｂのそれぞれと軸線Ｌとの間隔が等しくなるように）配置されているが、これに限定されるものではなく、例えば、一方の第二原反４ｂと軸線Ｌとの間隔と、他方の第二原反４ｂと軸線Ｌとの間隔とが異なるように構成されてもよい。
【００６０】
また、内シート原反４を第一方向（即ち、長手方向）に向かって巻き回してロール状にする際に、内シート原反４を厚み方向から挟み込むことで各対の接合部４ｃ，４ｃ間の領域（具体的には、第一切断領域４ｅ）や図５の内シート原反４’の第二切断領域４ｆから脱気する脱気工程を行ってもよい。内シート原反４を厚み方向から挟み込む方法としては、特に限定されるものではなく、例えば、内シート原反４を第一方向（即ち、長手方向）に沿って搬送しつつニップロール等を用いて挟み込む方法が挙げられる。
【００６１】
脱気工程を行うことで、内シート原反４を第一方向に向かって巻き回してロール状にする際に安定して巻き回すことができる。具体的には、一対の接合部４ｃ，４ｃ間の領域（第一切断領域４ｅ）における第一原反４ａと第二原反４ｂとの間に存在する空気は、一対の接合部４ｃ，４ｃによって斯かる領域の外側へ排出され難くなっている。このため、脱気工程を行わないで内シート原反４を第一方向に向かって巻き回してロール状にすると、一対の接合部４ｃ，４ｃ間の領域に存在する空気によって、斯かる領域の厚み（巻き回した際の直径）が厚くなり、安定して巻き回すことができない。これに対し、本願発明のように、脱気工程を行うことで、一対の接合部４ｃ，４ｃ間の領域（第一切断領域４ｅ）における第一原反４ａと第二原反４ｂとの間から空気を排出させることができる。このため、内シート原反４を第一方向に向かって巻き回してロール状にする際に、安定して巻き回すことができる。なお、図５の内シート原反４’の第二切断領域４ｆにおいても第一原反４ａと第二原反４ｂとの間から空気を排出させることができる。
【００６２】
また、上記実施形態では、一つの接合部４ｃが第一方向に沿って連続した直線状に形成されているが、これに限定されるものではなく、例えば、第一方向に延びる一つの領域に断続的に線状や点状に形成された複数の接合部によって一つの接合部が構成されてもよい。斯かる場合には、第一原反４ａと第二原反４ｂとの間に介在する空気を断続的な接合部の間から脱気することができるため、内シート原反を第一方向に向かって巻き回してロール状にする際に安定して巻き回すことができる。
【符号の説明】
【００６３】
１…米飯加工食品用包装材、２…内シート、２ａ…シート片、２ｂ…シート片、２ｃ…重合部、３…外シート、３ａ…外シート本体、３ｂ…カットテープ、３ｃ…切込部、３ｄ…摘み部、４…内シート原反、４ａ…第一原反、４ｂ…第二原反、４ｃ…接合部、２１ａ，２１ｂ…第一端部、２１ｃ…第一重合部、２２ａ，２２ｂ…第二端部、２２ｃ…第二重合部、４１ａ，４２ａ…第一シート片、４１ｂ，４２ｂ…第二シート片、Ａ…米飯加工食品、Ｂ…シート状食品、Ｌ…軸線
【図１】
0006518473.tif 000002
【図２】
0006518473.tif 000003
【図３】
0006518473.tif 000004
【図４】
0006518473.tif 000005
【図５】
0006518473.tif 000006